(57)【要約】      （修正有）【課題】処分に困った穀物類を使用したストラップを提供する。【解決手段】米、麦、粟（あわ）等より選択される一種類又は二種類以上からなる穀物を固めて所定の形態に形成し、携帯電話用ストラップの下げ飾り部分とする。また、該下げ飾り部分の表面に標章入りパーツや目、鼻、口等より選択される一種類又は二種類以上からなるパーツを取り付け、全体として擬人化したキャラクターを形成する。更に、下げ飾り部分の内部には、隠しアイテムを埋没させ、該下げ飾り部分を少なくとも二分割し、該分割された部分に磁石を取り付け、又は芯棒と芯棒挿入穴を設けることにより、付け外し可能にしておく。必要に応じて、香料を加える。【選択図】図１
0003158430.tif 000002
【実用新案登録請求の範囲】
【請求項１】
下げ飾り部分を有する携帯電話用ストラップにおいて、該下げ飾り部分が米、麦、粟(あわ)、稗(ひえ)、豆、黍(きび)、トウモロコシより選択される一種類又は二種類以上からなる穀物を固めて所定の形態に形成されていることを特徴とする携帯電話用ストラップ。
【請求項２】
請求項１に記載の下げ飾り部分であって、該下げ飾り部分の表面に標章が入ったパーツが取り付けられていることを特徴とする携帯電話用ストラップ。
【請求項３】
請求項１または請求項２に記載の下げ飾り部分であって、該下げ飾り部分の表面に目、鼻、口、眉毛、耳、角、髪、手、足、羽、尾より選択される一種類又は二種類以上からなるパーツを取り付け、全体として擬人化したキャラクターが形成されていることを特徴とする携帯電話用ストラップ。
【請求項４】
請求項１乃至請求項３に記載の下げ飾り部分であって、該下げ飾り部分の内部には、隠しアイテムが埋没されており、該下げ飾り部分は少なくとも二分割され、該分割された部分に磁石を取り付けることにより、付け外しを可能とした構造になっていることを特徴とする携帯電話用ストラップ。
【請求項５】
請求項１乃至請求項３に記載の下げ飾り部分であって、該下げ飾り部分の内部には、隠しアイテムが埋没されており、該下げ飾り部分は少なくとも二分割され、該分割された部分に芯棒と該芯棒挿入穴を取り付けることにより、付け外しを可能とした構造になっていることを特徴とする携帯電話用ストラップ。
【請求項６】
請求項１乃至請求項５に記載の下げ飾り部分であって、該下げ飾り部分が芳香することを特徴とする携帯電話用ストラップ。
【考案の詳細な説明】
【技術分野】
【０００１】
本考案は、本物の穀物からなる携帯電話用ストラップに関する。
【背景技術】
【０００２】
従来、携帯電話に付けるストラップの下げ飾りの部分には、金属、樹脂、木、布等、様々な素材が使用されている。そして、天然産の種子を利用した下げ飾りは既に考案されている。
【特許文献１】実開平５−５１９３
【考案の開示】
【考案が解決しようとする課題】
【０００３】
しかしながら、これらの下げ飾りは有限の資源から製造されており、処分に困ったものを利用する視点は重視されていなかった。
一方で、日本の食文化の変化により、余った米やいわゆる不良扱いされる穀物の処分方法として家畜の餌やバイオ燃料に利用する以外の有効な解決策が見つかっていない。
【０００４】
本考案は、上記の問題点に斯かる実情に鑑みなされたもので、処分に困った穀物類を使用したストラップを提供することを課題とする。
【課題を解決するための手段】
【０００５】
請求項１に記載の考案は、下げ飾り部分を有する携帯電話用ストラップにおいて、該下げ飾り部分が米、麦、粟(あわ)、稗(ひえ)、豆、黍(きび)、トウモロコシより選択される一種類又は二種類以上からなる穀物を固めて所定の形態に形成されていることを特徴とする。
【０００６】
請求項２に記載の考案は、該下げ飾り部分の表面に標章がデザインされたパーツが取り付けられていることを特徴とする。
【０００７】
請求項３に記載の考案は、該下げ飾り部分の表面に目、鼻、口、眉毛、耳、角、髪、手、足、羽、尾より選択される一種類又は二種類以上からなるパーツを取り付け、全体として擬人化したキャラクターが形成されていることを特徴とする。
【０００８】
請求項４に記載の考案は、該下げ飾り部分の内部には、隠しアイテムが埋没されており、該下げ飾り部分は少なくとも二分割され、該分割された部分に磁石を取り付けることにより、付け外しを可能とした構造になっていることを特徴とする。
【０００９】
請求項５に記載の考案は、該下げ飾り部分の内部には、隠しアイテムが埋没されており、該下げ飾り部分は少なくとも二分割され、該分割された部分に芯棒と該芯棒挿入穴を取り付けることにより、付け外しを可能とした構造になっていることを特徴とする。
【００１０】
請求項６に記載の考案は、該下げ飾り部分が芳香することを特徴とする。
【考案の効果】
【００１１】
本考案によれば、これまで、家畜の餌やバイオ燃料に利用するしか方法の無かった処分に困った穀物を携帯電話用ストラップの下げ飾り部分に利用することが出来る。
【００１２】
また、標章入りパーツや目、鼻等のパーツの取り付けにより、オリジナルのキャラクターとしての利用が可能となる。
【００１３】
下げ飾り部分の内部に埋没させた隠しアイテムは、少なくとも二分割し、該分割された部分に磁石を取り付け、又は芯棒と芯棒挿入穴を設けることにより、付け外しを可能とすることで、該隠しアイテムの確認や取り外しが出来る。
【００１４】
芳香すれば、香りとしても楽しむことが出来る。
【考案を実施するための最良の形態】
【００１５】
米、麦、粟(あわ)、稗(ひえ)、豆、黍(きび)、トウモロコシより選択される一種類又は二種類以上からなる穀物を固めて所定の形態に形成し、携帯電話用ストラップの下げ飾り部分とする。
また、該下げ飾り部分の表面に標章入りパーツや目、鼻、口、眉毛、耳、角、髪、手、足、羽、尾より選択される一種類又は二種類以上からなるパーツを取り付け、全体として擬人化したキャラクターを形成する。
更に、下げ飾り部分の内部には、隠しアイテムを埋没させ、該下げ飾り部分を少なくとも二分割し、該分割された部分に磁石を取り付け、又は芯棒と芯棒挿入穴を設けることにより、付け外し可能にしておく。必要に応じて、香料を加える。
【実施例１】
【００１６】
以下、図面を参照して本考案に係る携帯電話用ストラップの一実施例を説明する。
図１は、米をおむすびの形状に固めた下げ飾り部分を有する携帯電話用ストラップの図であり、図２は、米をおむすびの形状に固めた下げ飾り部分の表面に家紋入りパーツを取り付けた図である。
また、図３は、米をおむすびの形状に固めた下げ飾り部分の表面に目パーツと眉毛パーツ、口パーツ、首から下のパーツを取り付けた状態の図である。
そして図４及び図５は、本考案に係る米をおむすびの形状に固めた下げ飾り部分の内部から隠しアイテムが出てくる様子を示した図である。
【００１７】
まず、携帯電話用ストラップ１の下げ飾り部分２の素材に用いる米は、生米を使用するが、これに、粟や稗を混ぜても構わない。
【００１８】
また、本実施例では、おむすびの形状は、三角形であるが、俵むすびの形状、丸むすびの形状、具象形状等、所定の形状に形成する。おにぎり以外にもきりたんぽ、団子もち等の形状であっても構わない。
【００１９】
そして、家紋入りパーツ３をおにぎりの海苔に見立てて、取り付けると、よりリアルなおにぎり形状の下げ飾り部分２が形成される。
【００２０】
なお、文中の標章とは、文字、図形、記号若しくはこれらの結合、又はこれらと色彩との結合であり、本実施例では、標章として家紋を取り上げたに過ぎない。
【００２１】
また、目パーツ４、眉毛パーツ５、口パーツ６、首から下のパーツ８を取り付けると、地域限定のオリジナルキャラクターが形成される。
【００２２】
なお、本実施に用いる穀物は、必ずしも余った米やくず米、更にはいわゆる不良扱いされる穀物である必要は無く、その年に取れた品質の良い穀物を使用しても構わない。
【００２３】
次に、図４のように、おにぎり形状の下げ飾り部分を、一方に隠しアイテム７を固定した状態で二分割し、該二分割された各部分に磁石９を取り付けることで、付け外し可能な構造としておく。
【００２４】
このとき、おにぎり形状の下げ飾り部分を、隠しアイテム７を固定せずに三分割し、該三分割された各部分あるいは、隠しアイテム７を除いた分割部分に磁石を取り付けることで、付け外し可能な構造としても良い。
【００２５】
更に、分割したおにぎり形状の下げ飾り部分を、付け外し可能な構造とするため、芯棒１０と該芯棒が挿入可能な穴１１を図５のように分割した部分に設け、結合させても良い。
【００２６】
ここで、おにぎりの中に埋没させておく隠しアイテム７としては、例えば、おにぎりの具材として用いられる鮭、イクラ、昆布、梅干、ツナ等のフィギュアが考えられるが、人物、キャラクター、動植物、乗り物、建物等をモチーフにしたフィギュアでもよく、特に限定しない。
【００２７】
また、フィギュア以外にもパワーストーンと言われる石や、おみくじ等でも構わない。
【００２８】
芳香を付ける場合、市販の香料を使用しても構わないが、上記の例でいえば、おにぎりの香り、海苔の香り、具材として用いられる鮭、イクラ、昆布、梅干、ツナ等の香り、トウモロコシの香り等、他の穀物の香りを、香料を調合してオリジナルの香りとして使用しても構わない。
【００２９】
このように、本考案に用いる家紋入りパーツや目、鼻等のパーツ、隠しアイテムの素材は、布製、紙製、樹脂製、金属製、石製等何でもよく、特に限定しない。
【００３０】
以上説明したように、好ましい実施例を挙げて本考案を説明したが、本考案はその実施例に限定されるものではなく、本考案の要旨の範囲内で種々に改変できる。
【図面の簡単な説明】
【００３１】
【図１】本考案に係る米をおむすびの形状に固めた下げ飾り部分を有する携帯電話用ストラップの図である。
【図２】本考案に係る米をおむすびの形状に固めた下げ飾り部分の表面に家紋入りパーツを取り付けた図である。
【図３】本考案に係る米をおむすびの形状に固めた下げ飾り部分の表面に家紋入りパーツを取り付け、更に目、鼻等のパーツを取り付けた状態の図である。
【図４】本考案に係る米をおむすびの形状に固めた下げ飾り部分の内部から隠しアイテムが出てくる様子を示した図である。
【図５】本考案に係る米をおむすびの形状に固めた下げ飾り部分の内部から隠しアイテムが出てくる様子を示した図である。
【符号の説明】
【００３２】
１  携帯電話用ストラップ
２  下げ飾り部分
３  家紋入りパーツ
４  目パーツ
５  眉毛パーツ
６  口パーツ
７  隠しアイテム
８  首から下のパーツ
９  磁石
１０  芯棒
１１  穴
【図１】
0003158430.tif 000003
【図２】
0003158430.tif 000004
【図３】
0003158430.tif 000005
【図４】
0003158430.tif 000006
【図５】
0003158430.tif 000007
【手続補正書】
【提出日】平成22年1月29日(2010.1.29)
【手続補正１】
【補正対象書類名】実用新案登録請求の範囲
【補正対象項目名】全文
【補正方法】変更
【補正の内容】
【実用新案登録請求の範囲】
【請求項１】
下げ飾り部分を有する携帯電話用ストラップにおいて、該下げ飾り部分が米、麦、粟(あわ)、稗(ひえ)、豆、黍(きび)、トウモロコシより選択される一種類又は二種類以上からなる穀物を固めて所定の形態に形成されていることを特徴とする携帯電話用ストラップ。
【請求項２】
下げ飾り部分の表面に標章が入ったパーツが取り付けられていることを特徴とする請求項１に記載の携帯電話用ストラップ。
【請求項３】
下げ飾り部分の表面に目、鼻、口、眉毛、耳、角、髪、手、足、羽、尾より選択される一種類又は二種類以上からなるパーツを取り付け、全体として擬人化したキャラクターが形成されていることを特徴とする請求項１〜２のいずれか1項に記載の携帯電話用ストラップ。
【請求項４】
下げ飾り部分の内部には、隠しアイテムが埋没されており、該下げ飾り部分は少なくとも二分割され、該分割された部分に磁石を取り付けることにより、付け外しを可能とした構造になっていることを特徴とする請求項１〜３のいずれか1項に記載の携帯電話用ストラップ。
【請求項５】
下げ飾り部分の内部には、隠しアイテムが埋没されており、該下げ飾り部分は少なくとも二分割され、該分割された部分に芯棒と該芯棒挿入穴を取り付けることにより、付け外しを可能とした構造になっていることを特徴とする請求項１〜３のいずれか1項に記載の携帯電話用ストラップ。
【請求項６】
下げ飾り部分が芳香することを特徴とする請求項１〜５のいずれか1項に記載の携帯電話用ストラップ。